(57)【要約】      （修正有）【課題】二重入力端子、入力源選択コントローラ、負荷調節スイッチ回路、電力変換回路、電力中断用の自動スイッチ回路および出力端子を含む改良された二重入力電源を提供する。【解決手段】入力源選択コントローラ１０３は、優先モードでのＡＣ電源１１５、優先モードでのＤＣ電源１１７、および二重電源供給（ＡＣおよびＤＣ電源同時供給）モードを備える電力入力に対するモードを選択するように適応される。選択された電力は二重入力端子１０１、ＡＣ電源１１５に対する全波整流回路１０８とＤＣ電源１１７に対するＤＣ／ＤＣコンバータ１０９を含む電力変換回路１０７、出力端子１１４を経て外部に出力される。【選択図】図１
0003182508.tif 000002
【実用新案登録請求の範囲】
【請求項１】
改良された二重入力電源であって：
入力された動作電源を電力変換回路に出力する二重入力端子であって、前記動作電源がＡＣ電源およびＤＣ電源を備え、前記電力変換回路が、前記ＡＣ電源を第１の単向性直流に変換するための全波整流回路および前記ＤＣ電源を第２の単向性直流に変換するためのＤＣ／ＤＣコンバータを備え、そこで前記第１の単向性直流および前記第２の単向性直流が、電力を供給されるべき装置に第３の単向性電流を出力する出力端子に前記第３の単向性電流を形成するように収束する、二重入力端子；
前記二重入力端子に対して電源モードを選択するために前記二重入力端子に連結される入力源選択コントローラ；
前記二重入力端子に対して入力された動作電源負荷を調節するために前記入力源選択コントローラに連結される負荷調節スイッチ回路；ならびに
前記二重入力端子における電源状態を検出するために前記二重入力端子および前記入力源選択コントローラに連結される電力中断用の自動スイッチ回路を備える電源。
【請求項２】
前記全波整流回路が、ブリッジ整流器またはセンタタップ回路と称されることを特徴とする請求項１に記載の電源。
【請求項３】
前記入力源選択コントローラが、前記二重入力端子に対する前記電源モードとして優先モードでのＡＣ電源を選択することが可能であり、および、前記二重入力端子における前記電源状態が電力中断用の前記自動スイッチ回路による優先モードでの前記ＡＣ電源であると検出される時、前記ＡＣ電源中断の際に、前記電力中断用の自動スイッチ回路が電力中断信号を前記入力源選択コントローラに送信し、および、前記入力源選択コントローラが応答して前記電源モードをＤＣ電源入力モードに自動的に切替えることを特徴とする請求項１に記載の電源。
【請求項４】
前記入力源選択コントローラが、前記二重入力端子に対する前記電源モードとして優先モードでのＤＣ電源を選択することが可能であり、および、前記二重入力端子における前記電源状態が電力中断用の前記自動スイッチ回路による優先モードでの前記ＤＣ電源であると検出される時、前記ＤＣ電源中断の際に、前記電力中断用の自動スイッチ回路が電力中断信号を前記入力源選択コントローラに送信し、および、前記入力源選択コントローラが応答して前記電源モードをＡＣ電源入力モードに自動的に切替えることを特徴とする請求項１に記載の電源。
【請求項５】
前記入力源選択コントローラが、前記二重入力端子に対する前記電源モードとしてＡＣおよびＤＣ電源同時供給モードを選択することが可能であることを特徴とする請求項１に記載の電源。
【考案の詳細な説明】
【技術分野】
【０００１】
本考案は、電源に関し、およびより詳しくは改良された二重入力電源に関する。
【背景技術】
【０００２】
単一電源に接続する従来の電源は、一般に外部ＡＣ（「交流」）電源のためのＡＣソケットを備え、およびそこにおいて変換回路がまた、電力を供給されるべき装置に供給するための安定化直流を生成するために利用される。
【０００３】
しかしながら、上記の従来の電源は、コンピュータ、ステレオセットおよびテレビのような大部分の電気装置が電力として直流を受け取るように設計されているので、電源（または整流器）が電気装置を作動させるために交流の形式の都市の電気を所望のＤＣ（「直流」）形式に変換することを要求されるという欠点を有する。電源が直流だけを供給する場合、上記の電源は動作することができず、および、ユーザは大部分の電気装置に適応できる直流を生成するためにＤＣ／ＤＣコンバータを備えた電源を買う必要があり、ユーザにとって不便に結びつく。
【０００４】
二重入力を備えた別の従来の電源が交流および直流を同時に受け取り、および、常に二重入力モードで動作するように設計されているので、ユーザに対して、この種の電源は異なる供給モードの間で選択する何のオプションも与えない。そのようなものとして、エネルギー浪費問題が起こる。
【０００５】
このことから本考案は、ユーザが要望どおり種々の供給モードの１つを選択することを可能にされる利点、およびたとえ電源異常が生じても正常な電源機能が維持される利点、すなわち無停電電源機能を備えた改良された二重入力電源を提供する。
【考案の概要】
【考案が解決しようとする課題】
【０００６】
電源がＡＣ電源である時、単一入力を備えた電源が正常に動作することができず、使用の不便に結びつき、ならびに、二重入力を備えた従来の電源が、交流および直流を同時に受け取るように限定されており、異なる電源モードの間で選択することが不可能および以降のエネルギー浪費に結びつく、という従来技術における上述した課題を解決するために、本考案の改良された二重入力電源が提供される。
【課題を解決するための手段】
【０００７】
本考案の改良された二重入力電源は、二重入力端子、入力源選択コントローラ、負荷調節スイッチ回路、電力変換回路、電力中断用の自動スイッチ回路および出力端子を備え、入力源選択コントローラが、電力入力に対して次のモードの１つを選択するように適応される：優先でのＡＣ電源、優先でのＤＣ電源、および二重電源供給（ＡＣおよびＤＣ電源同時供給）。
【０００８】
本考案の改良された二重入力電源は、ユーザが所望の電源入力モードを柔軟に選択することを可能にし、かつ事故電源異常の際に電源入力モードを自動的に切替えることによって無停電電源を維持する。
【０００９】
これらの、そしてまた他の利点は、添付の図面および添付の請求の範囲と共になされる好ましい実施態様の以下の記述から明白になる。
【図面の簡単な説明】
【００１０】
【図１】本考案の一実施態様に従う改良された二重入力電源の機能ブロック図を例示する。および、
【図２】本考案の一実施態様に従う改良された二重入力電源を使用するための手順の流れ図を例示する。
【考案を実施するための形態】
【００１１】
この考案が、次に好ましい実施態様および態様によって記述され、および、これらの記述は考案の請求項を限定するためにではなく、例示するためにだけ、この考案の構造および手順を解釈する。したがって、本明細書における好ましい実施態様を除いて、本考案はまた、他の実施態様において広く使用されることができる。
【００１２】
図１を参照して、本考案の改良された二重入力電源１００の機能ブロック図が、以下を示す：二重入力端子１０１に動作電源が入力され、および二重入力端子１０１が動作電源を電力変換回路１０７にその後出力し、動作電源がＡＣ電源１１５およびＤＣ電源１１７を備える；入力源選択コントローラ１０３が二重入力端子１０１に連結され、かつそれに対して電源モードを選択し、電源モードが、次のモードの１つであることができる：優先でのＡＣ電源１１５、優先でのＤＣ電源１１７、ならびに二重電源１１５および１１７供給；負荷調節スイッチ回路１０５が、二重入力端子１０１に対して（ＡＣおよびＤＣの）入力された電源負荷を調節するために入力源選択コントローラ１０３に連結される；ならびに電力中断用の自動スイッチ回路１１３が、二重入力端子１０１および入力源選択コントローラ１０３の両方に連結されてかつ二重入力端子１０１における電源状態を検出するように適応される。優先モードでのＡＣ電源が入力源選択コントローラ１０３によって選択される時、ＡＣ電源１１５中断の際に、電力中断用の自動スイッチ回路１１３が電力中断信号を入力源選択コントローラ１０３に送信し、および、入力源選択コントローラ１０３が応答してＤＣ電源入力モードに自動的に切替える。優先モードでのＤＣ電源が入力源選択コントローラ１０３によって選択される時、ＤＣ電源中断の際に、電力中断用の自動スイッチ回路１１３が電力中断信号を入力源選択コントローラ１０３に送信し、および、入力源選択コントローラ１０３が応答してＡＣ電源入力モードに自動的に切替える。したがって、改良された二重入力電源はいずれにせよその供給機能を維持する。電力変換回路１０７は、入力されたＡＣ電源１１５を第１の単向性直流１１０に変換するための全波整流回路１０８および入力されたＤＣ電源１１７を第２の単向性直流１１１に変換するためのＤＣ／ＤＣコンバータ１０９を備え、ここで第１の単向性直流１１０および第２の単向性直流１１１が同じ定格値を有する。２つの単向性直流は第３の単向性電流１１２を形成するために収束し、それが出力端子１１４に、および次には電力を供給されるべき装置１１９に進む。代わりとして実施態様の一変形例において、第１および第２の単向性直流１１０および１１１が異なる定格値の単向性直流である。
【００１３】
一実施態様において、全波整流回路１０８がブリッジ整流器またはセンタタップ回路であることができる。
【００１４】
更なる実施態様において、電力を供給されるべき装置１１９がＡＴＸ電源回路またはＳＦＸ電源回路であることができる。
【００１５】
図２は、本考案の改良された二重入力電源１００を使用するための手順の流れ図を示す。まず、ＡＣ電源１１５およびＤＣ電源１１７が供給業者によって供給される伝送ケーブル経由で二重入力端子１０１に入力され、および、ユーザが次いで入力源選択コントローラ１０３によって電力入力に対する特定のモード、優先でのＡＣ電源、優先でのＤＣ電源、および二重電源供給（ＡＣおよびＤＣ電源同時供給）を備える電力入力に対する選択可能なモードを選択する。供給モードが選択された後で、出力端子１１４は電力を供給されるべき装置１１９に単向性直流を出力する。
【００１６】
上記の記述は、本考案の好ましい一実施態様である。この実施態様が限定するためにではなく説明の目的のためにのみ記述されること、ならびに、多数の変更および修正が本考案の趣旨および範囲から逸脱することなく、当業者によって実践されることができることが理解されるべきである。それらが請求される考案またはそれの等価物の有効範囲内に入る限り、全てのこの種の修正および変更が含まれることが、意図される。
【符号の説明】
【００１７】
１００  二重入力電源
１０１  二重入力端子
１０３  入力源選択コントローラ
１０５  負荷調節スイッチ回路
１０７  電力変換回路
１０８  全波整流回路
１０９  ＤＣ／ＤＣコンバータ
１１０  第１の単向性直流
１１１  第２の単向性直流
１１２  第３の単向性電流
１１３  電力中断用の自動スイッチ回路
１１４  出力端子
１１５  ＡＣ電源
１１７  ＤＣ電源
１１９  電力を供給されるべき装置
【図１】
0003182508.tif 000003
【図２】
0003182508.tif 000004